(57)【特許請求の範囲】
【請求項１】
被検体に光を照射するための一つまたは複数の照射用光ファイバと、前記照射用光ファイバから照射され前記被検体内部を伝播した光を検出するための一つまたは複数の検出用光ファイバと、前記照射用光ファイバと前記検出用光ファイバとをそれぞれ固定するための複数の光ファイバ固定具を持つ生体光計測用プローブであって、中心に穴が開いた形状の脳波用電極を用い、前記固定具の皮膚に接する側の底面の縁部には，一つまたは複数の脳波電極の一部または電極のケーブルを通すための切れ込みがあり、前記照射用または検出用光ファイバは、前記電極の穴を通るように配置されることを特徴とする生体光計測用プローブ。
【請求項２】
請求項１記載の生体光計測用プローブにおいて、前記固定具の皮膚に接する側の底面には，脳波用電極の形状に窪んだ窪みがあることを特徴とする生体光計測用プローブ。
【請求項３】
請求項１から２記載の生体光計測用プローブにおいて、前記固定具に固定される照射用または検出用光ファイバは，前記脳波用電極の穴とほぼ同軸になるように配置されることを特徴とする生体光計測用プローブ。
【請求項４】
請求項１から３記載の生体光計測用プローブにおいて、前記固定具の皮膚に接する側の底面と，窪みにはめ込まれた脳波電極の底面がほぼ同じ高さになることを特徴とする生体光計測用プローブ。
【請求項５】
請求項１から３記載の生体光計測用プローブにおいて、前記照射用または検出用光ファイバの先端は，前記固定具の皮膚側の底面または脳波電極の底面とほぼ同じ高さまたはやや突き出るよう配置されることを特徴とする生体光計測用プローブ。
【請求項６】
請求項５記載の生体光計測用プローブにおいて、前記照射用または検出用光ファイバの先端が，前記固定具の皮膚側の底面または脳波電極の底面から突き出る長さは，0から約１ミリメートルになることを特徴とする生体光計測用プローブ。
【請求項７】
請求項１ー６記載の生体光計測用プローブにおいて、脳波電極を用いない場合には，脳波電極とほぼ同形状の埋め部材で窪みを埋め，皮膚に接する面をほぼ平らにすることを特徴とする生体光計測用プローブ。
【請求項８】
請求項１記載の生体光計測用プローブにおいて、前記電極のケーブルを通すための切れ込みのほぼ中央と，固定具から引き出される光ファイバの中心線とが成す角度は，11.5度から180度の間の値であることを特徴とする生体光計測用プローブ。
【請求項９】
請求項１ー８記載の生体光計測用プローブにおいて、固定具及び埋め部材は，ゴムやゲルのような柔らかい素材で成型することを特徴する生体光計測用プローブ。
【請求項１０】
請求項１から９記載の生体光計測用プローブを持つことを特徴とする、生体光計測装置。
【発明の詳細な説明】
【技術分野】
【０００１】
本発明は、光を用いて生体の代謝物質濃度もしくはその濃度変化を計測する生体光計測技術に係り、特に、被検体頭部の代謝物質濃度を計測するための生体光計測用プローブ及びそれを用いた生体光計測装置に関する。
【背景技術】
【０００２】
脳活動に伴う大脳皮質での血液量変化を多点で計測し、その血液量変化を動画像や静止画像として表示する技術（生体光計測装置）が、既に、「Medical Physics, vol.22, No.
12, pp1997-2005 (1995)」に提案されている。
【０００３】
また，生体光計測装置により血液量変化を計測すると同時に脳波を測定したという報告が，「Neuroimage. 2002 Jul; vol. 16(3 Pt 1):pp587-592 (2002)」に掲載されている。しかし，従来の生体光計測用プローブと脳波用電極を併用しただけである。
【０００４】
上記のように単独で使用するものを併用するのは困難を要するため，次のような、既になされている。
【０００５】
（１）穴を開けた脳波電極を光ファイバの先端部に差し込む技術が，特開２００３―１４９１３７号公報に記載されている。
【０００６】
（２）光ファイバを固定する固定具同士を連結する連結部上に脳波電極を取り付ける技術が特開２００６―１８７３０４号公報に記載されている。
【０００７】
（３）光ファイバを固定する固定具同士を連結する連結部上に脳波電極を取り付け用ソケットを設ける技術が、特開２００６―２２３５０３号公報に記載されている。
【０００８】
【非特許文献１】Atsushi Maki, et al.: Spatial and temporal analysis of human motor activity   Medical Physics, vol.22, No.12, pp1997-2005 (1995)
【非特許文献２】R. P. Kennan, et al.: Simultaneous recording of event-related auditory oddball response using transcranial near infrared optical topography and surface EEG, Neuroimage 2002 Jul, vol.16(3 Pt 1), pp587-592 (2002)
【特許文献１】特開２００３―１４９１３７号公報
【特許文献２】特開２００６―１８７３０４号公報
【特許文献３】特開２００６―２２３５０３号公報
【発明の開示】
【発明が解決しようとする課題】
【０００９】
しかしながら、上述した生体光計測プローブには、以下のような課題が存在する。
【００１０】
脳波用電極は，インピーダンスを下げるため，皮膚に押し付けて密着させねばならない。しかし，上述の連結部上に脳波電極または脳波電極用ソケットを設ける方法では，比較的薄く弾性がある連結部では脳波電極を十分に押さえつけて皮膚に接触させることができないという問題があった。一方，電極に穴を開けて光ファイバ先端を差し込む技術は，光ファイバを同時に押さえつけが可能である。しかし，差し込むだけでは安定した接触状態を保てないこと，実際の電極はだたの皿状ではなくケーブル取り付け用取っ手状部分が出ているので，光ファイバ自体が安定して積極しなくなってしまうこと，脳波電極に穴を開けてしまうとインピーダンス自体が変化してしまい，脳波の測定自体ができなくなってしまうという問題があった。
【００１１】
本発明は，このような問題を解決するためになされたものであり、光ファイバと脳波電極が両方とも安定して皮膚に接触し，安全性が高い脳波同時計測が可能な生体光計測用プローブ及びそれを用いた生体光計測装置を提供することを目的とする。
【課題を解決するための手段】
【００１２】
上記目的を達成するために、本発明では、以下のような特徴を有する。
【００１３】
入射用光ファイバ及び検出用光ファイバを固定する複数の光ファイバ固定具の，皮膚に接する側の底面に，脳波電極の形状に合わせた脳波電極が納まる窪みを形成する。上部に穴が開いた形状のコロディオン電極を用い，固定具で固定されている光ファイバの先端部はコロディオン電極の穴に差し込まれ，コロディオン電極は窪みにはめ込まれる。固定具底面と電極底面はほぼ同じ高さにし，光ファイバ先端はこれらとほぼ同じ高さまたはやや突き出すように設置する。固定具底面の縁部には切れ込みがあり，電極の柄状部分またはケーブルはこの切れ込みを通すので，光ファイバおよび電極は安定して皮膚に接触させることが可能である。皮膚に接触させるときは，前述のコロディオン電極の内側にクリーム状の脳波用ペーストを塗布するので，光ファイバ先端部だけが皮膚にくいこんで痛みを発生させることはない。電極を取り付けない場合には，電極と同形状だが皿状ではなく，底面が平らな軟らかい素材製の部材を窪みにはめ込み，痛みを生じさせない。
【００１４】
このようにして，光計測も脳波計測も安定して行え，安全なプローブを提供できる。
【００１５】
以下、本発明の代表的な構成例について列挙する。
（１）  被検体に光を照射するための一つまたは複数の照射用光ファイバと、前記照射用光ファイバから照射され前記被検体内部を伝播した光を検出するための一つまたは複数の検出用光ファイバと、前記照射用光ファイバと前記検出用光ファイバとをそれぞれ固定するための複数の光ファイバ固定具を持つ生体光計測用プローブであって、中心に穴が開いた形状の脳波用電極（コロディオン電極）を用い，前記照射用または検出用光ファイバは，前記電極の穴を通るように配置されることを特徴とする。
（２）前記（１）記載の生体光計測用プローブにおいて、前記固定具の皮膚に接する側の底面には，脳波用電極の形状に窪んだ窪みがあることを特徴とする。
（３）前記（１）ー（２）記載の生体光計測用プローブにおいて、前記固定具に固定される照射用または検出用光ファイバは，前記脳波用電極の穴とほぼ同軸になるように配置されることを特徴とする。
（４）前記（１）ー（３）記載の生体光計測用プローブにおいて、前記固定具の皮膚に接する側の底面と，窪みにはめ込まれた脳波電極の底面がほぼ同じ高さになることを特徴とする。
（５）前記（１）ー（３）記載の生体光計測用プローブにおいて、前記照射用または検出用光ファイバの先端は，前記固定具の皮膚側の底面または脳波電極の底面とほぼ同じ高さまたはやや突き出るよう配置されることを特徴とする。
（６）前記（５）記載の生体光計測用プローブにおいて、前記照射用または検出用光ファイバの先端が，前記固定具の皮膚側の底面または脳波電極の底面から突き出る長さは，0から約１ミリメートルになることを特徴とする。
（７）前記（１）ー（６）記載の生体光計測用プローブにおいて、脳波電極を用いない場合には，脳波電極とほぼ同形状の埋め部材で窪みを埋め，皮膚に接する面をほぼ平らにすることを特徴とする。
（８）前記（１）ー（７）記載の生体光計測用プローブにおいて、前記固定具の皮膚に接する側の底面の縁部には，一つまたは複数の電極の一部または電極のケーブルを通すための切れ込みがあることを特徴とする。
（９）前記（８）記載の生体光計測用プローブにおいて、前記電極のケーブルを通すための切れ込みのほぼ中央と，固定具から引き出される光ファイバの中心線とが成す角度は，11.5度から180度の間の値であることを特徴とする。
（１０）前記（１）ー（９）記載の生体光計測用プローブにおいて、固定具及び埋め部材は，例えばゴムやゲルのような柔らかい素材で成型することを特徴する。
（１１）前記（１）ー（１０）記載の生体光計測用プローブを持つことを特徴とする生体光計測装置。
【発明の効果】
【００１６】
本発明によれば、光計測も脳波計測も安定して行え，安全な生体光計測用プローブ及びそれを用いた生体光計測装置を実現する。
【発明を実施するための最良の形態】
【００１７】
以下、本発明の実施例について、図面を参照して詳述する。
【００１８】
図１は、本発明の一実施例になる生体光計測用プローブの光ファイバ固定具の一部である固定具の基部の構成を示す図である。これに図２に示す蓋部を被せて使用する。  図１は、本発明の生体光計測用プローブを構成する光ファイバ固定具の基部の(a)鳥瞰図，(b)上から見た俯瞰図，(c)横から見た透視図，(d)横から見た断面図を示す。基部１には，光ファイバ挿入口３と光ファイバ口４が開いており，皮膚に接する側は底部２となっている。基部１の直径と底部２の直径はほぼ同じでもよいが，安定のために底部２の直径が大きい方が望ましい。なお，基部１には細くなった部分があるが，これはここでは図示していない光ファイバ固定具同士をつなぐ連結部を通すための部分である。この細い部分はなくてもよい。底部２の縁には，切れ込み５が形成されている。切れ込み５の最大部分の幅は，電極の柄１２（図３）の幅とほぼ同じか，またはやや大きいとよい。この場合は切れ込み５は２つ形成されている。切れ込み５は１つでもよいし，３つ，または４つでもよい。底部２から基部１にかけて，窪み６が形成されている。この窪み６の形状は，図３に示す穴の開いた脳波電極（コロディオン電極）とほぼ同じ形状になっており，電極がすっぽりと納まるようになっている。窪み６の深さは，図３に示す脳波電極の厚みｄとほぼ同じである。この光ファイバ固定具を形成する素材は，例えばシリコンゴム，ジェル等の生体適合性のある柔らかい素材を用いるのが望ましい。もちろん，樹脂のような硬い素材を用いてもよい。
【００１９】
図２は、図１に示した本発明の一実施例になる生体光計測用プローブの固定具の一部である固定具の蓋部の構成を示す図である。図１に示した光ファイバ固定具の基部の上に被せて使用する。図２は、本発明の生体光計測用プローブを構成する固定具の蓋部の(a)鳥瞰図，(b)上から見た俯瞰図，(c)横から見た図，(d)横から見た断面図を示す。蓋部７には，ちょうど固定具基部１の光ファイバ挿入口３の上部にはめ込まれる光ファイバ押さえ部８，基部１の光ファイバ口４に差し込む差込み部９がある。押さえ部８は，光ファイバ挿入口３の上部にはめ込まれ，光ファイバが抜けないように押さえつけている。差込み部９には滑り止めの突起部が形成され，光ファイバ口４にはそれに応じた溝が形成されており，蓋部２が基部１にはめ込まれて滑らないようになっている。差込み部９は，光ファイバが通せるように切り込まれている。光ファイバは，基部１の挿入口３から挿入されて，光ファイバ口４を通って，窪み６に突き出すよう設置される。光ファイバの先端は，底部２とほぼ同じ高さか，または底部よりやや突き出すように設置される。さらに蓋部7を被せ，光ファイバが抜けないよう押さえる。蓋部7と基部１は接着してもよいし，差込み部のみで閉じていてもよい。
【００２０】
図３は，脳波電極の構成である。これは，脳波用クリームを注入するための穴が開いているコロディオン電極と呼ばれるものである。本発明では，光ファイバを通すのに使用し，脳波用クリームまたはペーストは，直接電極内側に塗布することにする。脳波電極は通常は銀製である。銀は酸化しやすいため，あらかじめ食塩水に浸して酸化銀皮膜を表面に形成させた後に使用する。電極１０には電極の穴１１が開いており，脳波計と接続するためのケーブル１３を接合するための電極の柄１２が突き出している。電極１０は椀状になっており，内側に脳波用クリームやペーストを塗布し，皮膚に密着させる。通常，穴１１の直径ｒは約２ミリメートル，電極の厚みｄは２から３ミリメートルの間である。
【００２１】
図４は，光ファイバ固定具に光ファイバを挿入し，脳波電極も取り付けた状態のイメージ図である。基部１に光ファイバ１４を挿入して蓋部7をはめ，底部２の切れ込み５から電極の柄１２とそれにつながるケーブル１３を引き出している。柄１２をこのように引き出すことで，底部２は浮くことなく皮膚に接触でき，図５における窪み６部分が、電極１０と接触することにより、電極10を皮膚に押し付けるので、電極１０と光ファイバも浮くことなく皮膚に安定して接触させることができる。
【００２２】
図５は、図４に示したイメージ図の断面図である。基部１に光ファイバ１４が挿入され，上から蓋部７でふたをする。光ファイバ１４の途中に凸部がある光ファイバ支え部１５ー２があり，凸部が光ファイバ挿入口３の内側の溝とかみ合って光ファイバ１４が抜けないようにする。さらに光ファイバ１４は光ファイバ口４を通って，光ファイバ先端部１５ー１が窪み６へ突き出すように配置されている。光ファイバ先端部１５ー１にも凸部があり，光ファイバ口４内側の溝とかみ合って，窪み６へ突き出し過ぎないようにしている。窪み６には脳波電極１０がはめ込まれている。脳波電極の穴１１と光ファイバ口４と光ファイバ先端部１５ー１は，ほぼ同軸上になるように配置され，光ファイバ口４から突き出した光ファイバ先端部１５ー１は電極の穴１１に挿入される。光ファイバ先端部１５ー１の直径は，電極の穴１１の直径ｒとほぼ同じか，やや小さくする。光ファイバ先端部１５ー１の，穴１１を通す部分以外は直径がｒより太くなっており，必要以上に電極底面から光ファイバ先端部１５ー１１が突き出さないよう，ストッパーの役割も担っている。電極の柄１２は，断面図なので分かりづらいが底部２の切れ込み５から引き出されている。電極１０の内側には，脳波用ペーストまたはクリームが表面が平らかやや山盛りになるように塗布される。ペーストやクリームは白色なので近赤外光は通るが，散乱してしまうので，光ファイバ先端部１５ー１の端面だけ拭き取っておくと，計測の効率がよくなる。電極を押し付ける際に，端面に付着したペーストまたはクリームの層は薄くなるので，ふき取らなくてもよい。新生児を計測する場合などは，押し付けは控えるが，光を透過しやすい皮膚なので計測への影響は少ない。
【００２３】
図６は，図５と同様の断面図である。詳細は図５とほぼ同じだが，異なるのは，電極の柄１２を曲げ，切れ込み５を通して上に柄１２とケーブル１３を逃がしている点である。切れ込み１２は内側が一番幅が広くて電極の柄とほぼ同じ幅またはやや広くなっており，縁に近づくほど幅が狭くなっているので，上に逃がした柄１２を下から支えて安定にさせることが可能である。この構成により、ケーブル１３が頭から離れるので、ケーブル１３の操作が容易となる。ただし、寝ている状態で計測する場合，身体の下になる部分には、図５の状態で取り付けた方が、柄１２が身体の重みで破損しにくいので良い。
【００２４】
図７は，光ファイバ固定具の別の実施例を上から見た図である。底部２の切れ込み５のバリエーションを示している。図１では，切れ込み５が２つの実施例を示したが，図７(a)は２つで別方向を向いた実施例，(b)は３つの実施例，(c)は４つの実施例，(d)(e)はすべて１つの切れ込みがある実施例だが，方向が異なるバリエーションである。どの切れ込みに柄１２を通すかは，光ファイバ１４との位置関係や，頭のどの部位を計測するかにより，ケーブル１３をどの方向に出すと使用しやすいかで決める。例えば，光トポグラフィ本体が頭部に対して右側に，脳波計本体が左側にある場合，光ファイバ固定具は回転して光ファイバが出る方向を調節できるので，光ファイバ１４は右方向に出すようにし，脳波電極の柄１２は，左側を向いている切れ込み５を選んで通すことになる。また，寝ている新生児を計測する場合，後頭部に配置される光ファイバ固定具では，ケーブル１３に体重がかからないよう，隣の固定具の間をすり抜けられる方向の切れ込み５にケーブルを通す。なお，これらは対称になるように切れ込み５が形成されているが，非対称に形成してもよい。
【００２５】
図８は，光ファイバ挿入口３と切れ込み５と脳波電極１０の位置関係を示した図である。図８(a)は上から見た図，図８(b)は断面図である。ここで，各部位のサイズを説明する。
W：切れ込みの幅；2〜5mm，d1：光ファイバ支え部の直径；2〜5mm，d2：光ファイバの直径；1〜3mm，L：脳波電極の直径；約10mm，t：くびれ部の高さ；2〜10mm，D1：光ファイバ固定具のくびれ部の直径；5〜10mm，D2：光ファイバ固定具の上部の直径；8〜15mm，D3：光ファイバ固定具の基部の直径；10〜15mm。
【００２６】
１８ー１は，光ファイバ挿入口３の中心線，１８ー２は切れ込み５の中心線である。光ファイバと電極の柄がぶつからないようにするためには，１８ー１と１８ー２の成す角度θの最小値は，以下の式で表される。
【００２７】
θ＝sin-1((d2+W)/D2)    ... (1)
θの最大値は，光ファイバ挿入口と切れ込みが直線上にあるときなので，θの範囲は以下の式で表される。
【００２８】
180°≧ θ ≧ sin-1((d2+W)/D2)    ．．．(2)
上記のd2の最小値，Wの最小値，D2の最大値を用いて換算すると，θの範囲は約１１.５°〜１８０°の範囲となる。
図示していないが，電極の柄１２の長さは約10mmなので，高さｔが10mm以上ある場合は，
θの最小値は上記の(2)の範囲よりも小さくともよい。しかし実際は，ｔが大きいと固定具が不安定になるため，10mm以下の方が安定していて良い。
【００２９】
図９は，窪み6に電極１０をはめ込まない場合に使用する，埋め部材である。埋め部材１６は，電極１０とほぼ同じ形状をしているが，柄はなく，椀状にもなっていない。埋め部材の穴１７が開いているのみで，底面は平らになっている。穴１７の直径はｒとほぼ同じが，やや小さい方が良い。特に，埋め部材を軟らかい素材で成型する場合には，光ファイバ先端部１５ー１の細い部分と同じか，それよりもやや小さい直径にすると，先端部１５ー１から埋め部材が抜け落ち難くなる。厚みは，電極の厚みｄとほぼ同じ厚みにして，埋め部材１６を窪み５にはめ込んだときに，底部２と埋め部材１６の間の段差がほぼ無いか，小さいことが望ましい。
【００３０】
図１０は，光ファイバ固定具に光ファイバを挿入し，埋め部材をはめ込んだ場合の断面図である。詳細は図５とほぼ同じであるが，窪み５には埋め部材１６をはめ込んでいる。光ファイバ先端部１５ー１は，埋め部材１６の底面とほぼ同じ高さか，やや（１ミリメートル以下）突き出している程度なので，皮膚に食い込むという問題はなく，安全である。
【００３１】
図１１以降は，上記の光ファイバ固定具，脳波電極を取り付けた光ファイバ固定具を，被験者への装着を実現する構成を示す。
【００３２】
図１１は，本発明の被験者への装着を実現する一実施例になる生体光計測用プローブの構成の一例を示すイメージ図である。図１１(a)は，光ファイバ固定具間をほぼ一定距離に保つための縦固定部１９を，伸縮性のある素材でできたキャップ２１に接着したものである。伸縮性のある素材とは，例えば，伸縮性のある布などである。縦固定部１９には，光ファイバ固定具を差し込むためのリング２０が３個設置されている。図１１(b)に示すように，縦固定部１９のリング２０は，連結部材２２で連結され，連結部材２２はリング２０を中心に回転できるように構成する。その手段は，図１３(a)に示すように，光ファイバ固定具１のくびれ部１ー２にリング２０と連結部材２２のリングを一緒にはめ込んでも良いし，図１３(b)に示すように，リング２０に，連結部材２２をはめ込める溝状固定部分を設けても良い。また，図１３(c)に示すように，リング２０とは別の，リング２０と連結部材２２のリングをはめ込んで固定する部品２０ー１を用意してもよい。なお，伸縮性素材の一部または複数部分に，脳波用電極を取り付けても良い。
【００３３】
図１２は，図１１のプローブを被験者２３に装着した様子である。伸縮性素材のキャップ２１が伸び，それに伴って連結部材２２が固定具（基部１と蓋部７）が差し込まれるリング２０のほぼ中央を中心に回転して縦固定部１９同士の間隔が広がる。縦固定部１９及び連結部材２２の素材は伸縮性がほぼないので，縦固定部１９が接着されている部分は伸びず，連結部材２２で連結された隣り合う縦固定部部１９上のリング２０同士はほぼ一定距離を保ったまま，いろいろなサイズの頭にプローブをフィットさせることができる。
【００３４】
図１３は，上記で説明しているように，固定具基部１と縦固定部１９のリング２０，連結部材２２の位置関係を示す断面図である。図１３(a)は，リング２０と連結部材２２を，基部１を挿入することで留めている。連結部材２２は基部１の周りを回転する。図１３(b)は，リング２０に連結部材を留める突起がある実施例である。連結部材２２は，このリング２０の突起部分にはめ込まれ，リング２０の突起部分の周りを回転する。図１３(c)は，リング２０と連結部材２２のリングをはめ込んで固定する部品２０ー１を用いて，連結部材２２を留めている。連結部材２２は，部品２０ー１の周りを回転する。
【００３５】
図１４は，図１１の伸縮性のある素材２１の代わりに，樹脂製ネット（ネトロン）２４を用いたものである。樹脂性ネット２４は，一定方向には伸縮するが，別の方向は伸びない。この伸びない方向を縦固定部１９として利用し，伸びない方向に等間隔にリング２０を固定する。この距離は，今までと同様２又は３センチである。縦固定部１９の方向が合わなくなる部分は，図１４に示すように，樹脂製ネットを複数枚つなぎ合わせて，方向を切り替えて使用してもよい。なお，ネットの一部または複数部分に，脳波用電極を取り付けてもよい。
【００３６】
図１５は，図１４のプローブを被験者４に装着させた様子である。機能としては，図１２と同様である。
【００３７】
図１６は，図１５の樹脂製ネットを利用するプローブと同様だが，使用しないネット部分を切り取り，例えば，耳を避けて装着できるようにしたものである。
【００３８】
図１７は，図１６のプローブを装着した様子である。
【００３９】
図１８は，樹脂製ネットの伸びない方向を縦固定部１９として利用する他に，さらにネットの網目をリング２２の代用として使用する構成である。ネットの網目に直接独立した光ファイバ固定具（基部１と蓋部７）を差し込み，使用する。その際，挿入する伸びない方向の網目間距離は，２又は３センチになるようにする。
【００４０】
図１９は，図１８を被験者２３に装着させた様子である。
【００４１】
以上詳述したように、本発明によれば、光計測と脳波計測を安定にかつ安全に計測できる生体光計測用プローブを実現できる。
【図面の簡単な説明】
【００４２】
【図１】本発明の一実施例になる生体光計測用プローブの固定具の基部の(a)鳥瞰図，(b)上から見た俯瞰図，(c)横からみた透視図，及び(d)横から見た断面図。
【図２】本発明の一実施例になる生体光計測用プローブの固定具の蓋部の(a)鳥瞰図，(b)上から見た俯瞰図，(c)横からみた図，及び(d)横から見た断面図。
【図３】本発明の一実施例に使用する脳波電極の断面及び俯瞰図。
【図４】本発明の一実施例になる生体光計測用プローブの固定具に光ファイバと脳波電極をはめ込んだ状態のイメージ図。
【図５】本発明の一実施例になる生体光計測用プローブの固定具に光ファイバを挿入し，脳波電極をはめ込んだ状態の断面図。
【図６】本発明の一実施例になる生体光計測用プローブの固定具に光ファイバを挿入し，柄を曲げた状態の脳波電極をはめ込んだ状態の断面図。
【図７】本発明の一実施例になる生体光計測用プローブの固定具の底部にある切れ込みが図１とは異なるパターンを示す図で，(a)は２つで図１と異なるバターン，(b)は３つある，(c)は４つある，(d)(e)は１つで各々方向が異なるパターンの俯瞰図。
【図８】本発明の一実施例になる生体光計測用プローブの固定部の断面図および俯瞰図。
【図９】本発明の一実施例になる生体光計測用プローブの埋め部材の断面図および俯瞰図。
【図１０】本発明の一実施例になる生体光計測用プローブの固定具に光ファイバを挿入し，埋め部材をはめ込んだ状態の断面図。
【図１１】本発明によるプローブの，伸縮性素材を用いた実施例の(a)基部を伸縮性素材のキャップに接着した様子，(b)さらに連結部材を取り付けた様子を示すイメージ図。
【図１２】図１１のプローブを被験者が装着した様子を示す図。
【図１３】図１１の実施例の，光ファイバ固定具のソケット，リング，連結部材の構成を示した断面図。
【図１４】本発明によるプローブの，樹脂製ネット素材を用いた実施例のイメージ図。
【図１５】図１４のプローブを被験者が装着した様子を示す図。
【図１６】本発明によるプローブの，樹脂製ネット素材を用いた別の実施例のイメージ図。
【図１７】図１６のプローブを被験者が装着した様子を示す図。
【図１８】本発明によるプローブの，樹脂製ネット素材を用いたさらに別の実施例のイメージ図。
【図１９】図１８のプローブを被験者が装着した様子を示す図。
【符号の説明】
【００４３】
１：光ファイバ固定具の基部、１ー２：光ファイバ固定具のくびれ部，２：光ファイバ固定具の底部、３：光ファイバ挿入口、４：光ファイバ口、５：切れ込み、６：窪み、７：光ファイバ固定具の蓋部、８：光ファイバ押さえ部、９：差込み部、１０：脳波電極、１１：電極の穴、１２：電極の柄、１３：ケーブル，１４：光ファイバ、１５ー１：光ファイバ先端部、１５ー２：光ファイバ支え部，１６：埋め部材、１７：埋め部材の穴，１８ー１：中心線１，１８ー２：中心線２，１９：縦固定部、２０：リング，２０ー１：リング１３と連結部材３のリングをはめ込んで固定する部品，２１：伸縮素材のキャップ、２２：連結部材、２３：被験者、２４：樹脂製ネット（ネトロン）。
【図１】
0005178283.tif 000002
【図２】
0005178283.tif 000003
【図３】
0005178283.tif 000004
【図４】
0005178283.tif 000005
【図５】
0005178283.tif 000006
【図６】
0005178283.tif 000007
【図７】
0005178283.tif 000008
【図８】
0005178283.tif 000009
【図９】
0005178283.tif 000010
【図１０】
0005178283.tif 000011
【図１１】
0005178283.tif 000012
【図１２】
0005178283.tif 000013
【図１３】
0005178283.tif 000014
【図１４】
0005178283.tif 000015
【図１５】
0005178283.tif 000016
【図１６】
0005178283.tif 000017
【図１７】
0005178283.tif 000018
【図１８】
0005178283.tif 000019
【図１９】
0005178283.tif 000020